(57)【要約】【課題】ユーザがキャンセル操作を容易に行うことができる技術が求められていた。【解決手段】本開示によれば、近接した操作媒体を用いた入力操作を近接操作として検出可能な近接操作部が近接操作を検出した場合に、近接操作に基づいた近接処理を実行し、操作媒体が近接操作部から離れた場合に、近接処理をキャンセルする制御部を備える情報処理装置が提供される。【選択図】図１
2013114481.tif 000002
【特許請求の範囲】
【請求項１】
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御部を備える情報処理装置。
【請求項２】
前記制御部は、前記近接操作に応じた情報を提示する制御を行なうことで、前記近接処理を行なう、請求項１記載の情報処理装置。
【請求項３】
前記制御部は、前記操作媒体が前記近接操作部に近接するまで、複数の選択候補情報を一覧表示する制御を行い、前記近接操作が行われた場合に、前記近接操作に応じた前記選択候補情報を表示する制御を行う、請求項２記載の情報処理装置。
【請求項４】
前記制御部は、前記操作媒体が前記近接操作部から離れた際に、複数の選択候補情報を一覧表示する制御を行なうことで、前記近接処理をキャンセルする、請求項３記載の情報処理装置。
【請求項５】
前記制御部は、前記近接操作に基づいて画像を調整することで調整画像を生成し、前記調整画像を表示する制御を行う、請求項２記載の情報処理装置。
【請求項６】
前記制御部は、前記近接処理に基づいて音声情報を調整することで調整音声情報を生成し、前記調整音声情報を出力する制御を行う、請求項２記載の情報処理装置。
【請求項７】
前記制御部は、前記操作媒体が前記近接操作部に接触した場合に、前記近接処理と異なる接触処理を行う、請求項１記載の情報処理装置。
【請求項８】
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルすることを含む、情報処理方法。
【請求項９】
コンピュータに、
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御機能を実現させる、プログラム。
【発明の詳細な説明】
【技術分野】
【０００１】
本開示は、情報処理装置、情報処理方法、及びプログラムに関する。
【背景技術】
【０００２】
ユーザによる操作を簡便にするために、様々な技術が提案されている。例えば、特許文献１に開示された技術によれば、ユーザは、複数の選択候補画像から一つの選択候補画像を選択する選択操作をジョグダイヤルにより行うことができる。
【先行技術文献】
【特許文献】
【０００３】
【特許文献１】特開２００６−１４０８６５号公報
【発明の概要】
【発明が解決しようとする課題】
【０００４】
しかし、特許文献１に開示された技術では、ユーザは、自己が行った選択操作をキャンセルするために、ジョグダイヤルとは別のキャンセルボタンを操作する必要があった。このため、ユーザがキャンセル操作を容易に行うことができる技術が求められていた。
【課題を解決するための手段】
【０００５】
本開示によれば、操作媒体を近接させた状態で行う入力操作である近接操作を検出可能な近接操作部が近接操作を検出した場合に、近接操作に基づいた近接処理を実行し、操作媒体が近接操作部から離れた場合に、近接処理をキャンセルする制御部を備える情報処理装置が提供される。
【０００６】
本開示によれば、操作媒体を近接させた状態で行う入力操作である近接操作を検出可能な近接操作部が近接操作を検出した場合に、近接操作に基づいた近接処理を実行し、操作媒体が近接操作部から離れた場合に、近接処理をキャンセルすることを含む、情報処理方法が提供される。
【０００７】
本開示によれば、コンピュータに、操作媒体を近接させた状態で行う入力操作である近接操作を検出可能な近接操作部が近接操作を検出した場合に、近接操作に基づいた近接処理を実行し、操作媒体が近接操作部から離れた場合に、近接処理をキャンセルする制御機能を実現させる、プログラムが提供される。
【０００８】
本開示によれば、ユーザは、操作媒体を近接操作部から離すだけで、近接操作をキャンセルすることができる。
【発明の効果】
【０００９】
以上説明したように本開示によれば、ユーザは、操作媒体を近接操作部から離すだけで、近接操作をキャンセルすることができるので、容易にキャンセル操作を行うことができる。
【図面の簡単な説明】
【００１０】
【図１】本開示の実施形態に係る情報処理装置を示すブロック図である。
【図２】近接操作の例を示す説明図である。
【図３】情報処理装置による処理の手順を示すフローチャートである。
【図４】表示部に表示される画像が遷移する様子を示す説明図である。
【図５】本実施形態の第１の変形例で表示される画像の一例を示す説明図である。
【図６】本実施形態の第１の変形例で表示される画像の一例を示す説明図である。
【図７】本実施形態の第２の変形例で表示される画像の一例を示す説明図である。
【図８】情報処理装置のハードウェア構成の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．情報処理装置の構成
２．情報処理装置による処理の手順
３．第１の変形例
４．第２の変形例
【００１３】
＜１．情報処理装置の構成＞
まず、図１及び図８に基づいて、情報処理装置１０の構成について説明する。図１に示すように、情報処理装置１０は、近接操作部１１、記憶部１２、提示部１３、及び制御部１４を備える。情報処理装置１０は、図８に示すハードウェア構成により実現される。即ち、情報処理装置１０は、ハードウェア構成として、液晶パネル５００、近接検知可能タッチパネル５０１、操作ボタン５０２、接続端子５０３、ドライブ５０４、スピーカ５０６、インターフェース５０７−１、通信バス５０７−２、ＣＰＵ５０８、ＲＯＭ５０９、及びＲＡＭ５１０を備える。
【００１４】
近接操作部１１は、近接検知可能タッチパネル５０１により実現される。記憶部１２は、ＲＯＭ５０９、及びＲＡＭ５１０により実現される。提示部１３は、液晶パネル５００、及びスピーカ５０６により実現される。制御部１４は、ＣＰＵ５０８がＲＯＭ５０９に記憶されたプログラムを読みだして実行することにより実現される。即ち、ＲＯＭ５０９には、情報処理装置１０を制御部１４として機能させるためのプログラムが記憶される。
【００１５】
操作ボタン５０２は、ユーザにより操作されるボタンであり、接続端子５０３は、情報処理装置１０を他の情報処理装置に接続するためのケーブルが接続される部分である。ドライブ５０４は、リムーバブル記憶媒体５０５が着脱される部分である。インターフェース５０７−１及び通信バス５０８は、情報処理装置１０の各構成要素を互いに接続するものである。
【００１６】
近接操作部１１は、近接した操作媒体（例えばユーザの指先、タッチペン等）を用いた入力操作を近接操作として検出する。なお、このような近接操作は、ジェスチャ操作とも称される。近接操作部１１は、提示部１３のうち、画像を表示する部分、即ち液晶パネル５００の表面に配置される。近接操作部１１は、近接操作を検出した場合には、近接操作の内容に関する近接操作情報を制御部１４に出力する。
【００１７】
近接操作は、例えば、操作媒体を近接操作部１１に近接させた状態で移動または静止させる操作である。なお、操作媒体が近接操作部１１に近接した状態とは、例えば、操作媒体と近接操作部１１との間隔が０ｃｍより大きく所定の近接閾値（例えば２〜３ｃｍ）以下となっている状態を意味する。また、本実施形態では、近接操作は、回転操作、静止操作、及びその他の操作に区分される。
【００１８】
回転操作は、操作媒体を近接操作部１１に近接させた状態で回転させる操作であり、静止操作は、操作媒体を近接操作部１１に近接させた状態で静止させる操作である。回転操作の一例を図２（ａ）、（ｂ）に示す。図２（ａ）は、ユーザＵが回転操作を行なっている様子を示す側面図であり、図２（ｂ）は平面図である。この例では、操作媒体は、ユーザＵの指先Ｕ１となっている。回転操作は、近接操作部１３に近接させた操作媒体を近接操作部１３への近接を維持した状態で回転させる操作である。回転方向は右回転、左回転のどちらでもよく、回転方向に応じた処理、即ち近接処理が制御部１４によって実行される。
【００１９】
また、近接操作部１１は、操作媒体の接触を接触操作として検出することもできる。近接操作部１１は、接触操作を検出した場合には、接触操作の内容に関する接触操作情報を制御部１４に出力する。
【００２０】
また、近接操作部１１は、操作媒体が近接操作部１１から離れた場合には、その旨の離脱操作情報を制御部１４に出力する。なお、操作媒体が近接操作部１１から離れた状態とは、例えば、操作媒体と近接操作部１１との間隔が所定の近接閾値より大きくなっている状態を意味する。
【００２１】
本実施形態では、情報処理装置１０は近接操作部１１を備えるが、近接操作部１１を備えていなくてもよい。近接操作部１１を備えた情報処理装置１０としては、例えば、デジタルカメラ、スマートフォン、スマートタブレット等が挙げられる。一方、近接操作部１１を備えていない情報処理装置１０としては、例えばパーソナルコンピュータが挙げられる。情報処理装置１０が近接操作部１１を備えていない場合、情報処理装置１０に近接操作部１１が着脱される。このような近接操作部１１の例としては、タッチパッド等が挙げられる。
【００２２】
記憶部１３は、情報処理装置１０が各種の処理を実行するために必要な情報、例えば各種の画像、音声情報、プログラム等を記憶する。このプログラムは、情報処理装置１０に制御部１４等の機能を実現させるものである。提示部１３は、各種画像を表示し、音声情報を出力する。
【００２３】
制御部１４は、情報処理装置１０の各構成要素を制御する他、以下の処理を行う。即ち、制御部１４は、近接操作部１１から近接操作情報が与えられた場合に、近接操作に応じた処理、即ち近接処理を行なう。制御部１４は、近接操作部１１から接触操作情報が与えられた場合に、接触操作に応じた処理、即ち接触処理を行なう。制御部１４は、離脱操作情報が与えられた場合に、近接処理をキャンセルする。これにより、ユーザは、近接操作をキャンセルすることができる。
【００２４】
＜２．情報処理装置による処理の手順＞
次に、情報処理装置１０による処理の手順を図３に示すフローチャートに沿って説明する。なお、ここでは、情報処理装置１０がデジタルカメラである場合を想定する。即ち、情報処理装置１０の記憶部１２には、ユーザが撮影した画像が選択候補画像として記憶されている。また、各選択候補画像には、選択候補画像毎に異なるインデックス番号が関連付けられている。インデックス番号は整数であり、各選択候補画像には１刻みで異なるインデックス番号が関連付けられている。また、操作媒体は、ユーザの指先とする。制御部１４は、図３に示す処理を行うことで、複数の選択候補画像の中から、ユーザによる閲覧や編集等の対象となる操作対象画像を決定（確定）する。
【００２５】
ステップＳ１０において、制御部１４は、図４（ａ）に示すように、複数の選択候補画像が一覧表示された一覧画像１００を提示部１３に表示する。ステップＳ２０において、制御部１４は、近接操作部１１から近接操作情報が与えられたか否かを判定する。制御部１４は、近接操作部１１から近接操作情報が与えられたと判定した場合には、ステップＳ３０に進み、近接操作部１１から近接操作情報が与えられないと判定した場合には、ステップＳ１０に戻る。一方、近接操作部１１は、近接操作を検出した場合には、近接操作の内容に関する近接操作情報を制御部１４に出力する。なお、制御部１４は、一覧画像１００の表示中に近接操作部１１から接触操作情報が与えられた場合には、ステップＳ９０の処理に直接進んでもよい。
【００２６】
ステップＳ３０において、制御部１４は、近接操作情報に基づいて、ユーザの指先が一定時間以上同じ位置に静止したか否か（即ち、同じ選択候補画像に近接したか否か）を判定する。制御部１４は、ユーザの指先が一定時間以上同じ位置に静止したと判定した場合には、ステップＳ４０に進み、それ以外の場合には、ステップＳ１０に戻る。
【００２７】
ステップＳ４０において、制御部１４は、ユーザの指先が近接した選択候補画像を提示部１３に表示する。図４（ｂ）に表示例を示す。この例では、提示部１３に選択候補画像１０１ａが表示されている。なお、図４（ｂ）に示す選択候補画像１０１ｂは、選択候補画像１０１ａよりもインデックス番号が１大きく、選択候補画像１０１ｃは、選択候補画像１０１ａよりもインデックス番号が１小さい。
【００２８】
ステップＳ５０において、制御部１４は、近接操作部１１から近接操作情報、接触操作情報、または離脱操作情報が与えられるまで待機する。ステップＳ６０において、制御部１４は、近接操作部１１から近接操作情報が与えられたか否かを判定する。制御部１４は、近接操作部１１から近接操作情報が与えられたと判定した場合には、ステップＳ７０に進み、近接操作部１１から接触操作情報または離脱操作情報が与えられたと判定した場合には、ステップＳ８０に進む。
【００２９】
ステップＳ７０において、制御部１４は、近接操作に応じた選択候補画像を提示部１３に表示する。これにより、制御部１４は、近接処理を行なう。具体的には、例えば、制御部１４は、ユーザが指先を右回転させた場合には、現在表示中の選択候補画像よりもインデックス番号が１大きい選択候補画像を提示部１３に表示する。これにより、制御部１４は、選択候補画像を順方向に画送りする。一方、制御部１４は、ユーザが指先を左回転させた場合には、現在表示中の選択候補画像よりもインデックス番号が１小さい選択候補画像を提示部１３に表示する。これにより、制御部１４は、選択候補画像を逆方向に画送りする。
【００３０】
なお、制御部１４は、インデックス番号が最大の選択候補画像の表示中にユーザが指先を右回転させた場合には、インデックス番号が最小の選択候補画像を提示部１３に表示する。同様に、制御部１４は、インデックス番号が最小の選択候補画像の表示中にユーザが指先を左回転させた場合には、インデックス番号が最大の選択候補画像を提示部１３に表示する。さらに、ユーザが回転操作を行なっても、指先が元の位置に戻るだけなので、ユーザは、回転操作を何度でも行なうことができる。したがって、制御部１４は、エンドレスで選択候補画像を画送りすることができる。また、制御部１４は、ユーザが回転方向を変えるだけで画送りの方向を変えることができるので、画送りの方向をシームレスに変えることができる。なお、制御部１４は、回転操作以外の近接操作、例えば指先を近接操作部１１の一方の端部から他方の端部まで移動させる操作に基づいて、画送りを行なってもよい。ただし、この場合、近接操作部１１の端部で近接操作が終了してしまうので、制御部１４は、エンドレスで画送りをすることができない。
【００３１】
例えば、制御部１４は、選択候補画像１０１ａの表示中にユーザが指先を右回転させた場合には、選択候補画像１０１ｂを提示部１３に表示する。一方、制御部１４は、選択候補画像１０１ａの表示中にユーザが指先を左回転させた場合には、選択候補画像１０１ｃを提示部１３に表示する。制御部１４は、ユーザが回転操作以外の近接操作を行った場合には、現在表示中の選択候補画像を継続して表示する。その後、制御部１４は、ステップＳ５０に戻る。
【００３２】
これにより、ユーザは、近接操作を行なうことで、所望の選択候補画像、即ち操作対象画像とする選択候補画像を選択することができる。なお、この時点では、制御部１４は、近接操作が行われても、操作対象画像を決定しない（即ち、即値で決定しない）ので、ユーザは、操作対象画像とする選択候補画像を仮決定することとなる。
【００３３】
また、制御部１４は、ユーザが指を近接操作部１１から離した際に、近接処理をキャンセルすることができる。言い換えれば、ユーザは、指を近接操作部１１から離すことで、近接操作をキャンセルすることができる。仮に制御部１４が近接操作により操作対象画像を即値で決定してしまうと、ユーザが指を近接操作部１１から離しても、その操作対象画像を表示し続ける必要がある。したがって、ユーザが操作対象画像を変更したい（近接操作をキャンセルしたい）場合には、別途の操作が必要になってしまう。
【００３４】
なお、制御部１４は、回転操作の回転半径に基づいて、１回転の回転操作毎に画送りする選択候補画像の数を決定してもよい。即ち、制御部１４は、現在表示中の選択候補画像のインデックス番号を基準インデックス番号とし、回転半径の大きさに基づいて、インデックス番号の変化量を算出する。そして、制御部１４は、右回転の回転操作が行われた場合には、基準インデックス番号に変化量を加算することで、新たなインデックス番号を算出し、算出されたインデックス番号を有する選択候補画像を表示する。制御部１４は、左回転の回転操作が行われた場合には、基準インデックス番号から変化量を減算することで、新たなインデックス番号を算出し、算出されたインデックス番号を有する選択候補画像を表示する。これにより、例えば、制御部１４は、回転半径がある値の場合には、選択候補画像を１インデックス分画送りし、回転半径が上記の値の３倍となる場合には、選択候補画像を３インデックス分画送りすることができる。
【００３５】
ステップＳ８０において、制御部１４は、近接操作部１１から接触操作情報が与えられたか否かを判定する。制御部１４は、近接操作部１１から接触操作情報が与えられたと判定した場合には、ステップＳ９０に進む。一方、制御部１４は、近接操作部１１から離脱操作情報が与えられたと判定した場合には、ステップＳ１０に戻る。これにより、制御部１４は、近接処理、即ちユーザによる選択操作をキャンセルすることができる。
【００３６】
ステップＳ９０において、制御部１４は、近接処理と異なる接触処理を行なう。具体的には、制御部１４は、ユーザの指先が接触した選択候補画像を操作対象画像として決定（確定）し、操作対象画像と各種の編集用ボタン１１０とを提示部１３に表示する。例えば、ユーザが提示部１３に表示された選択候補画像１０１ａに接触した場合には、図４（ｃ）に示すように、選択候補画像１０１ａを操作対象画像として決定し、操作対象画像１０１ａと編集用ボタン１１０とを提示部１３に表示する。ユーザは、編集用ボタン１１０を用いて、操作対象画像を編集することができる。その後、情報処理装置１０は、図３に示す処理を終了する。
【００３７】
以上により、本実施形態によれば、情報処理装置１０は、近接操作部１１が近接操作を検出した場合に、近接操作に基づいた近接処理を実行し、操作媒体が近接操作部１１から離れた場合に、近接処理をキャンセルする。これにより、ユーザは、操作媒体、例えば自己の指を近接操作部１１から離すだけで近接操作をキャンセルすることができるので、自己の操作を容易にキャンセルすることができる。即ち、ユーザは、容易にキャンセル操作を行うことができる。
【００３８】
さらに、情報処理装置１０は、近接操作に応じた選択候補画像を提示部１３に表示するので、ユーザは、所望の選択候補画像を情報処理装置１０に容易に表示させることができ、かつ、選択候補画像の選択を容易にキャンセルすることができる。
【００３９】
さらに、情報処理装置１０は、操作媒体が近接操作部１１に近接するまで、一覧画像１００を提示部１３に表示し、近接操作が行われた場合に、近接操作に応じた選択候補情報を表示する。したがって、ユーザは、まず選択候補画像の一覧を確認した上で、所望の選択候補画像を情報処理装置１０に表示させることができる。
【００４０】
また、情報処理装置１０は、操作媒体が近接操作部１１から離れた際に、一覧画像１００を提示部１３に表示することで、近接処理をキャンセルするので、近接処理を容易にキャンセルすることができる。また、ユーザは、近接処理がキャンセルされたことを容易に把握することができる。
【００４１】
また、情報処理装置１０は、操作媒体が近接操作部１１に接触した場合に、近接処理と異なる接触処理を行うので、ユーザは、操作媒体を近接操作部１１に接触させるだけで、情報処理装置１０に接触処理を行わせることができる。特に、情報処理装置１０は、操作媒体が接触した選択候補画像を操作対象画像として決定するので、ユーザは、操作対象画像を容易に決定することができる。
【００４２】
さらに、ユーザは、近接操作、接触操作、及び離脱操作（操作媒体を近接操作部１１から離す操作）という一連の操作を行うだけで、操作対象画像の仮決定、決定、及びキャンセルを行なうことができる。したがって、ユーザは、操作対象画像の仮決定、決定、及びキャンセルを容易に行うことができる。なお、情報処理装置１０は、選択候補画像を選択候補情報として表示したが、各種の文字情報を選択候補情報として表示してもよい。
【００４３】
＜３．第１の変形例＞
次に、第１の変形例について説明する。第１の変形例は、情報処理装置１０が画像レタッチ処理を行なうものである。まず、制御部１４は、図５（ａ）に示すように、提示部１３に基準画像２００と各種の編集用ボタン２１０とを表示することで、通常モードに移行する。これらの編集用ボタン２１０には、基準画像２００の明るさを調整するための明るさ調整ボタンが含まれる。
【００４４】
制御部１４は、ユーザの指先Ｕ１が明るさ調整ボタンに接触（または近接）した場合に、明るさ調整モードに移行する。制御部１４は、明るさ調整モードとなっている場合には、ユーザからの回転操作に基づいて、基準画像２００を調整することができる。これにより、制御部１４は、近接処理を行なう。
【００４５】
具体的には、制御部１４は、図５（ｂ）に示すように、右回転の回転操作が行われた場合には、基準画像の明るさが回転数に応じた量だけ増加した調整画像を表示し、左回転の回転操作が行われた場合には、基準画像２００の明るさが回転数に応じた量だけ減少した調整画像を表示する。なお、この時点では、明るさの調整量は確定していない。
【００４６】
次いで、制御部１４は、ユーザの指先Ｕ１が近接操作部１１に接触した場合には、調整画像を新たな基準画像２００として確定し、表示することで、通常モードに戻る。これにより、制御部１４は、接触処理を行なう。一方、制御部１４は、ユーザの指先Ｕ１が近接操作部１１から離れた場合には、近接処理、即ち明るさの調整をキャンセルし、元の基準画像２００を表示する。これにより、制御部１４は、通常モードに戻る。
【００４７】
なお、制御部１４は、他の近接操作、例えば指先を近接操作部１１の一方の端部から他方の端部まで移動させる操作に基づいて、基準画像２００の明るさを調整してもよい。例えば、制御部１４は、図６に示すように、指先Ｕ１の上下方向の移動に応じて、基準画像２００の明るさを調整してもよい。上述したように、指先を近接操作部１１の一方の端部から他方の端部まで移動させる操作では、近接操作が近接操作部１１の端部で終了してしまう。しかし、明るさの値にも一定の上限値、下限値がある。したがって、制御部１４は、このような近接操作に基づいて基準画像２００の明るさを調整する場合であっても、基準画像２００の明るさを正確に調整することができる。なお、情報処理装置１０は、明るさのみならず、彩度等、他のパラメータを調整してもよい。
【００４８】
したがって、第１の変形例では、情報処理装置１０は、近接操作に基づいて基準画像２００を調整することで調整画像を生成し、調整画像を提示部１３に表示する。これにより、ユーザは、例えば自己の指を近接操作部１１から離すだけで、基準画像２００の調整をキャンセルすることができる。
【００４９】
＜４．第２の変形例＞
次に、第２の変形例について説明する。第２の変形例は、情報処理装置１０が音声情報の出力中に音量を調整するものである。まず、制御部１４は、音量の調整対象となる基準音声情報を出力する。さらに、制御部１４は、図７（ａ）に示すように、基準音声情報の出力中であることを示す音声出力用画像３００と各種の編集用ボタン３１０とを表示する。これにより、制御部１４は、通常モードに移行する。これらの編集用ボタン３１０には、音声情報の音量を調整するための音量調整ボタンが含まれる。
【００５０】
制御部１４は、ユーザの指先Ｕ１が音量調整ボタンに接触（または近接）した場合に、音量調整モードに移行する。制御部１４は、音量調整モードとなっている場合には、ユーザからの回転操作に基づいて、基準音声情報の音量を調整することができる。これにより、制御部１４は、近接処理を行なう。
【００５１】
具体的には、制御部１４は、図７（ｂ）に示すように、右回転の回転操作が行われた場合には、基準音声情報の音量が回転数に応じた音量だけ増加した調整音声情報を生成し、出力する。一方、制御部１４は、左回転の回転操作が行われた場合には、基準音声情報の音量が回転数に応じた音量だけ減少した調整音声情報を生成し、出力する。なお、この時点では、音量の調整量は確定していない。
【００５２】
次いで、制御部１４は、ユーザの指先Ｕ１が近接操作部１１に接触した場合には、調整音声情報を新たな基準音声情報として確定し、出力することで、通常モードに戻る。これにより、制御部１４は、接触処理を行なう。一方、制御部１４は、ユーザの指先Ｕ１が近接操作部１１から離れた場合には、近接処理、即ち音量の調整をキャンセルし、元の基準音声情報を出力する。これにより、制御部１４は、通常モードに戻る。なお、制御部１４は、他の近接操作、例えば指先を近接操作部１１の一方の端部から他方の端部まで移動させる操作に基づいて、基準音声情報の音量を調整してもよい。この理由は第１の変形例と同様である。
【００５３】
したがって、第２の変形例では、情報処理装置１０は、近接操作に基づいて基準音声情報を調整することで調整音声情報を生成し、出力する。これにより、ユーザは、例えば自己の指を近接操作部１１から離すだけで、基準音声情報の調整をキャンセルすることができる。
【００５４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。例えば、情報処理装置１０が画像作成処理を行なってもよい。この場合、情報処理装置１０は、ユーザの回転操作に基づいて、スタンプ画像を拡大、縮小してもよい。また、情報処理装置１０は、ユーザがスタンプ画像にタッチした際に、各スタンプ画像の大きさを確定し、ユーザが指先を近接操作部１１から離した際に、スタンプ画像の調整をキャンセルし、スタンプ画像の大きさを元に戻してもよい。
【００５５】
なお、以下のような構成も本開示の技術的範囲に属する。
（１）
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御部を備える情報処理装置。
（２）
前記制御部は、前記近接操作に応じた情報を提示する制御を行なうことで、前記近接処理を行なう、前記（１）記載の情報処理装置。
（３）
前記制御部は、前記操作媒体が前記近接操作部に近接するまで、複数の選択候補情報を一覧表示する制御を行い、前記近接操作が行われた場合に、前記近接操作に応じた前記選択候補情報を表示する制御を行う、前記（２）記載の情報処理装置。
（４）
前記制御部は、前記操作媒体が前記近接操作部から離れた際に、複数の選択候補情報を一覧表示する制御を行なうことで、前記近接処理をキャンセルする、前記（３）記載の情報処理装置。
（５）
前記制御部は、前記近接操作に基づいて画像を調整することで調整画像を生成し、前記調整画像を表示する制御を行う、前記（２）記載の情報処理装置。
（６）
前記制御部は、前記近接処理に基づいて音声情報を調整することで調整音声情報を生成し、前記調整音声情報を出力する制御を行う、前記（２）記載の情報処理装置。
（７）
前記制御部は、前記操作媒体が前記近接操作部に接触した場合に、前記近接処理と異なる接触処理を行う、前記（１）〜（６）のいずれか１項に記載の情報処理装置。
（８）
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルすることを含む、情報処理方法。
（９）
コンピュータに、
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御機能を実現させる、プログラム。
【符号の説明】
【００５６】
１０    情報処理装置
１１    近接操作部
１２    記憶部
１３    提示部
【図１】
2013114481.tif 000003
【図２】
2013114481.tif 000004
【図３】
2013114481.tif 000005
【図４】
2013114481.tif 000006
【図５】
2013114481.tif 000007
【図６】
2013114481.tif 000008
【図７】
2013114481.tif 000009
【図８】
2013114481.tif 000010
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御部を備える情報処理装置。
【請求項２】
前記制御部は、前記近接操作に応じた情報を提示する制御を行なうことで、前記近接処理を行なう、請求項１記載の情報処理装置。
【請求項３】
前記制御部は、前記操作媒体が前記近接操作部に近接するまで、複数の選択候補情報を一覧表示する制御を行い、前記近接操作が行われた場合に、前記近接操作に応じた前記選択候補情報を表示する制御を行う、請求項２記載の情報処理装置。
【請求項４】
前記制御部は、前記操作媒体が前記近接操作部から離れた際に、複数の選択候補情報を一覧表示する制御を行なうことで、前記近接処理をキャンセルする、請求項３記載の情報処理装置。
【請求項５】
前記制御部は、前記近接操作に基づいて画像を調整することで調整画像を生成し、前記調整画像を表示する制御を行う、請求項２記載の情報処理装置。
【請求項６】
前記制御部は、前記近接操作に基づいて音声情報を調整することで調整音声情報を生成し、前記調整音声情報を出力する制御を行う、請求項２記載の情報処理装置。
【請求項７】
前記制御部は、前記近接操作に基づいて、複数の近接処理のうち少なくとも１つを実行する、請求項１記載の情報処理装置。
【請求項８】
前記制御部は、前記操作媒体が前記近接操作部に接触した場合に、前記近接処理と異なる接触処理を行う、請求項１記載の情報処理装置。
【請求項９】
前記制御部は、前記操作媒体が前記近接操作部に接触した場合に、前記近接処理の内容を確定することで、前記接触処理を行う、請求項８記載の情報処理装置。
【請求項１０】
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルすることを含む、情報処理方法。
【請求項１１】
コンピュータに、
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御機能を実現させる、プログラム。
【手続補正２】
【補正対象書類名】明細書
【補正対象項目名】００５５
【補正方法】変更
【補正の内容】
【００５５】
（１）
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御部を備える情報処理装置。
（２）
前記制御部は、前記近接操作に応じた情報を提示する制御を行なうことで、前記近接処理を行なう、前記（１）記載の情報処理装置。
（３）
前記制御部は、前記操作媒体が前記近接操作部に近接するまで、複数の選択候補情報を一覧表示する制御を行い、前記近接操作が行われた場合に、前記近接操作に応じた前記選択候補情報を表示する制御を行う、前記（２）記載の情報処理装置。
（４）
前記制御部は、前記操作媒体が前記近接操作部から離れた際に、複数の選択候補情報を一覧表示する制御を行なうことで、前記近接処理をキャンセルする、前記（３）記載の情報処理装置。
（５）
前記制御部は、前記近接操作に基づいて画像を調整することで調整画像を生成し、前記調整画像を表示する制御を行う、前記（２）記載の情報処理装置。
（６）
前記制御部は、前記近接操作に基づいて音声情報を調整することで調整音声情報を生成し、前記調整音声情報を出力する制御を行う、前記（２）記載の情報処理装置。
（７）
前記制御部は、前記近接操作に基づいて、複数の近接処理のうち少なくとも１つを実行する、前記（１）〜（６）の何れか１項に記載の情報処理装置。
（８）
前記制御部は、前記操作媒体が前記近接操作部に接触した場合に、前記近接処理と異なる接触処理を行う、前記（１）〜（７）のいずれか１項に記載の情報処理装置。
（９）
前記制御部は、前記操作媒体が前記近接操作部に接触した場合に、前記近接処理の内容を確定することで、前記接触処理を行う、前記（８）記載の情報処理装置。
（１０）
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルすることを含む、情報処理方法。
（１１）
コンピュータに、
操作媒体を近接させた状態で行う入力操作である近接操作を検出可能な近接操作部が前記近接操作を検出した場合に、前記近接操作に基づいた近接処理を実行し、前記操作媒体が前記近接操作部から離れた場合に、前記近接処理をキャンセルする制御機能を実現させる、プログラム。